(57)【要約】【課題】本発明は、構造が簡単であって、便利に取り付けたり取り外したりすることができ、且つ便利に携帯することができる箸を提供する。【解決手段】接続体及び本体を備える箸であって、前記接続体の一端に第一係止部が設置され、前記本体の一端に第二係止部が設置され、前記第一係止部と前記第二係止部が分離可能に係合される。【選択図】図２
2009273884.tif 000002
【特許請求の範囲】
【請求項１】
接続体及び本体を備える箸であって、
前記接続体の一端に第一係止部が設置され、前記本体の一端に第二係止部が設置され、前記第一係止部と前記第二係止部とが分離可能に係合されることを特徴とする箸。
【請求項２】
前記第一係止部の片側には、第一係止凸部と、前記第一係止凸部と前記接続体との間に位置する第一係止溝と、が形成され、
前記第二係止部の片側には、第二係止凸部と、前記第二係止凸部と前記本体との間に位置する第二係止溝と、が形成され、
前記第一係止凸部は前記第二係止溝に収納され、前記第二係止凸部は第一係止溝に収納されることを特徴とする請求項１に記載の箸。
【請求項３】
前記第一係止部の他側には、遷移面が形成され、
前記第二係止部の他側には、配合面が形成され、
前記遷移面と前記配合面とが互いに配合されることを特徴とする請求項２に記載の箸。
【請求項４】
前記本体の端面の中心に軸方向に沿って外に向かって延伸するガイド柱が形成されることを特徴とする請求項１に記載の箸。
【請求項５】
前記箸はキャップをさらに備え、
前記接続体の中心には収容部が開設され、前記キャップは前記接続体の他端に分離可能に配合され、前記キャップと前記接続体との配合によって閉鎖空間が形成されることを特徴とする請求項１に記載の箸。
【請求項６】
前記接続体は、中空の柱状体であって、その外表面に模様が形成されていることを特徴とする請求項１に記載の箸。
【請求項７】
前記接続体は、分離可能な複数のユニットからなり、各ユニットに爪楊枝或いは調味料を保存することができる収容部が形成されることを特徴とする請求項１に記載の箸。
【発明の詳細な説明】
【技術分野】
【０００１】
本発明は、箸に関し、特に取り外すことができ、長さを短縮して便利に携帯することができる箸に関する。
【背景技術】
【０００２】
生活のリズムが速くなるに従って、大部分の社員がファーストフード(Fast Food)を選択する。しかし、ファーストフードに付け加える箸は、一般的に竹製或いは木製の1回限り箸である。このような箸の製造過程で漂白処理及び防腐処理を行うので、箸の中に人体に対する有害物質が残留している。また、このような箸は一度使用して捨てるので、環境汚染及び資源の浪費をもたらす。上述した問題を避ける為に、人々は箸を身につけて携帯する。しかし、一般的に箸が長いので、携帯に不便である。
【０００３】
また、分離可能で便利に携帯することができる箸がある。前記分離可能な箸は、上体及び下体を備える。前記上体の内部には中空部が設置され、前記上体の下端部に結合孔が設置されている。前記下体の上端部に挿込部が設置され、前記挿込部の壁面には収容部が設置され、前記収容部の一端には穿孔が設置されている。前記挿込部の収容部に、球体、バネ及び固定体を順次に装着する。前記バネは、前記固定体に取り付けられ、前記球体は、前記バネの付勢力によって前記収容部の穿孔から突設され、前記固定体は、前記収容部の内部に固定されて前記球体と前記バネを前記収容部に定位する。
【０００４】
前記箸を使用する場合、前記下体の挿込部を前記上体の結合孔に挿し込むと、前記下体の球体が前記バネの付勢力によって前記上体の結合孔に係止されて、前記上体と前記下体とが一体になる。前記箸を使用しない場合、前記箸の下体を下方へ引っ張れば、軸方向の作用によって前記球体が前記下体の収容部に圧入される一方、前記下体が前記上体から分離される。
【０００５】
しかし、前記分離可能な箸において、箸の長さを短縮して便利に携帯することができるが、その構造が複雑であって、特に固定体、球体及びバネの装着が面倒である。
【発明の概要】
【発明が解決しようとする課題】
【０００６】
本発明の目的は、構造が簡単であって、便利に取り付けたり取り外したりすることができ、且つ便利携帯することができる箸を提供することである。
【課題を解決するための手段】
【０００７】
本発明に係る箸は、接続体及び本体を備え、前記接続体の一端に第一係止部が設置され、前記本体の一端に第二係止部が設置され、前記第一係止部と前記第二係止部とが分離可能に係合される。
【発明の効果】
【０００８】
本発明に係る箸は、接続体の第一係止部と本体の第二係止部とによって分離可能に連接されるので、構造が簡単であって、且つ便利に取り付けたり取り外したりすることができ、便利に携帯することができる。
【図面の簡単な説明】
【０００９】
【図１】本発明の実施例に係る箸の分解図である。
【図２】本発明の実施例に係る箸の他の視点からの分解図である。
【図３】本発明の実施例に係る箸の接続体の断面図である。
【図４】本発明の実施例に係る箸の組立図である。
【発明を実施するための形態】
【００１０】
以下、図面に基づいて、本発明に係る箸に関して詳細に説明する。
【００１１】
図１は、本発明の実施例に係る箸１００の分解図であり、図２は、本発明に係る箸１００の他の視点からの分解図である。前記箸１００は、キャップ１０と、接続体２０と、本体３０と、を備える。
【００１２】
前記キャップ１０は、球状部１１と、頸部１２と、固定部１３と、配合部１４と、を備える。
【００１３】
前記球状部１１は、前記キャップ１０の一端に設置されている。前記頸部１２は、略円錐台状であって、前記球状部１１と前記固定部１３とを連接することに用いられる。前記固定部１３の形状は略長方体であって、前記頸部１２に近接する４つの稜線には円滑に過渡する面取り部１３１がそれぞれに設置されている。前記固定部１３の底辺の幅が前記配合部１４の頂辺の幅より大きいため、前記固定部１３と前記配合部１４との間に段差部１３３が形成される。前記配合部１４の外表面には複数の突起部１４１が形成されている。前記固定部１３と前記配合部１４との中心にキャビディ１５が開設されている。
【００１４】
図３は、本発明の実施例に係る箸の接続体２０の断面図である。前記接続体２０は、中空の略四角柱体であって、周壁２１と、該周壁２１に囲まれて形成される収容部２３と、該収容部２３を第一収容部２３１と第二収容部２３３に分割する隔離部２４と、を備える。前記接続体２０において、前記第一収容部２３１近傍の端部を第一端部２４１とし、前記第二収容部２３３近傍の端部を第二端部２４２とする。前記第一端部２４１の外辺の幅は、前記固定部１３の底辺の幅に相当し、前記第一端部２４１の内辺の幅は、前記配合部１４の底辺の幅に相当する。前記キャップ１０を前記接続体２０の第一収容部２３１に挿入すると、前記配合部１４が前記第一収容部２３１に収納されるとともに前記固定部１３の段差部１３３が前記周壁２１の端面に当接される。
【００１５】
前記接続体２０の周壁２１の外表面２２には、一定の間隔を有する複数の環状凹部２２１が彫刻されている。前記環状凹部２２１は、使用者が箸を握る時の摩擦力を増加させ、箸が滑落することを防止する。
【００１６】
図１に示したように、前記接続体２０の第二端部２４２に第一係止部２５が形成されている。前記第一係止部２５は、前記接続体２０と前記本体３０とを係合することに用いられる。前記第一係止部２５は、前記接続体２０の第二端部２４２の一部分の周壁２１から軸方向に沿って突設された弧形体である。前記第一係止部２５の一方の側壁には、第一係止溝２５１と第一係止凸部２５３とが形成されている。前記第一係止溝２５１は、前記接続体２０の第二端部２４２と前記第一係止凸部２５３との間に位置する。前記第一係止部２５の他方の側壁には、波形の遷移面２５７が形成されている。
【００１７】
図２に示したように、前記本体３０は、係合部３１及び挟み部３２を備える。前記係合部３１は、前記本体３０の端面の中心から軸方向に沿って延伸し且つ直径が前記本体３０の端面の直径より小さいガイド柱３１１と、前記ガイド柱３１１の底部を部分的に囲む第二係止部３１５と、を備える。前記ガイド柱３１１の高さは、前記第二係止部３１５の高さより大きい。前記ガイド柱３１１の外周面には、一定の間隔を有する複数の環状凸部３１１１が設置されている。前記第二係止部３１５は、前記第一係止部２５と配合する弧形体である。即ち、前記第二係止部３１５の一方の側壁には、前記第一係止部２５の第一係止溝２５１及び第一係止凸部２５３に配合される第二係止凸部３１５５及び第二係止溝３１５３が形成されている。前記第二係止部３１５の他方の側壁には、前記第一係止部２５の遷移面２５７に配合される配合面３１５１が形成されている。
【００１８】
図４は、本発明の実施例に係る箸１００の組立図である。前記箸１００を組み立てる場合、先ず、前記接続体２０の第一係止部２５と前記本体３０の第二係止部３１５とを対向させてから、前記本体３０のガイド柱３１１を前記接続体２０の第二収容部２３３に挿し込む。次に、前記接続体２０と前記本体３０とをそれぞれ相反する方向へ回転すると、前記本体３０の第二係止部３１５の第二係止凸部３１５５が前記接続体２０の第一係止部２５の第一係止溝２５１に収納され、前記接続体２０の第一係止部２５の第一係止凸部２５３が前記本体３０の第二係止部３１５の第二係止溝３１５３に収納されて、前記接続体２０と前記本体３０とが一体に係合される。前記接続体２０と前記本体３０とが係合した後、前記接続体２０の遷移面２５７と前記本体３０の配合面３１５１との間に一定の隙間が存在する。前記隙間は、前記箸１００を取り外す時、前記接続体２０と前記本体３０とをそれぞれ相反する方向へ回転する場合、両者が互いに干渉しないように予め形成された空間である。続いて、前記キャップ１０の配合部１４を前記接続体２０の第一収容部２３１に挿入して、前記キャップ１０の固定部１３の段差面１３３が前記接続体２０の周壁２１の端面に当接されて、前記箸１００の組立が終了する。前記配合部１４の突起部１４１は、前記キャップ１０が前記接続体２０から脱落されることを防止する。
【００１９】
前記箸１００を取り外す場合、前記接続体２０と前記本体３０をそれぞれ相反する方向へ回転させて、前記接続体２０の第一係止部２５の第一係止溝２５１と前記本体３０の第二係止部３１５の第二係止凸部３１５５とが分離され、前記接続体２０の第一係止部２５の第一係止凸部２５３と前記本体３０の第二係止部３１５の第二係止溝３１５３とが分離されて、前記接続体２０と前記本体３０とを分離する。回転する時、前記接続体２０の遷移面２５７と前記本体３０の配合面３１５１とのガイド作用によって円周方向のねじり力が軸方向の推進力に変換されるため、使用者の不注意による過大な力の作用下でも、前記箸１００は容易に破損されない。
【００２０】
前記キャップ１０の配合部１４を前記接続体２０の第一収容部２３１に挿入すれば、前記接続体２０の第一収容部２３１と前記キャップ１０の配合部１４によって閉鎖空間が形成される。爪楊枝を前記閉鎖空間に保存した場合、爪楊枝を失うとか、爪楊枝が汚れることを防止することができる。
【００２１】
前記箸１００の接続体２０と本体３０とを分離して、便利に携帯することができる容器（図示せず）或いは袋（図示せず）に入れて携帯することができる。
【００２２】
また、前記接続体２０の第一係止部２５の遷移面２５１及び前記本体３０の第二係止部３１５の配合面３１５１の形状は、波形に限定されるものではなく、前記接続体２０と前記本体３０に相反する方向のねじり力を印加して両者が当接する時、前記円周方向のねじり力を軸方向の推進力に変換することができるいずれの形状であることができる。例えば、円弧形、放物線形或いは円錐曲線形などである。
【００２３】
また、本発明の接続体２０の外表面に彫刻された模様は環状凹部に限定されるものではなく、模様の形成方式は彫刻に限定されるものではない。
【００２４】
また、本発明の接続体２０は、１つのユニットに限定されるものではなく、２つ或いはその以上のユニットからなることができ、且つ各ユニットに塩、味の素、香辛料、シーフード（Seafood）粉などの異なる調味料を保存することができる。
【００２５】
また、本発明の接続体２０と本体３０との結合方式は、係合方式に限定されるものではなく、ねじ山による螺合方式或いは摩擦による結合方式のような便利に分離することができる結合方式を採用することができる。また、本発明の接続体２０の複数のユニットとの間の結合方式も、係合方式に限定されるものではなく、ねじ山による螺合方式或いは摩擦による結合方式のような便利に分離することができる結合方式を採用することができる。
【００２６】
また、本発明のキャップ１０は、上述した構造に限定されるものではない。即ち、前記キャップ１０は、前記接続体２０の収容部２３に収容する一段と、前記収容部２３の外部に留められる他の一段と、を含む２段構造であることができる。なお、前記キャップ１０は、一段の柱体であることができるが、前記キャップ１０を前記収容部２３に当接するために、前記収容部２３の断面の面積が該収容部２３の端面からだんだん小さくなければならない。
【００２７】
また、本発明のキャップ１０と接続体２０とは完全に分離されずに、縄で連結されることもできる。
【００２８】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２９】
１００    箸
１０      キャップ
１１      球状部
１２      頸部
１３      固定部
１３１    面取り部
１３３    段差面
１４      配合部
１４１    突起部
１５      キャビディ
２０      接続体
２１      周壁
２２      外表面
２２１    環状凹部
２３      収容部
２３１    第一収容部
２３３    第二収容部
２４      隔離部
２４１    第一端部
２４２    第二端部
２５      第一係止部
２５１    第一係止溝
２５３    第一係止凸部
２５７    遷移面
３０      本体
３１      係合部
３１１    ガイド柱
３１１１  環状凸部
３１５    第二係止部
３１５１  配合面
３１５３  第二係止溝
３１５５  第二係止凸部
３２      挟み部
【図１】
2009273884.tif 000003
【図２】
2009273884.tif 000004
【図３】
2009273884.tif 000005
【図４】
2009273884.tif 000006